(57)【要約】ＥＰＧ情報を記憶するメモリを共有化することで、ＥＰＧ情報取得に要する時間を短縮する。【課題】ＥＰＧ情報を取得するためには、多くの時間を必要とするうえに、一度電源をオフにすると全てのＥＰＧ情報を取得し直さなければならない。或いは不揮発性メモリを具備するば、必要なメモリ容量が大きくなり、コストアップにつながりだけでなく、一度電源をオフにすると、次に電源を入れた時には、不揮発性メモリに保持されているＥＰＧ情報は古くなっている。【解決手段】共同住宅などで、各家庭のテレビ受信機をネットワーク接続し、各テレビ受信機が獲得したＥＰＧ情報を各ＥＰＧ記憶部で分散管理する。各テレビ受信機は、ネットワーク接続された他のテレビ受信機内に記憶されているＥＰＧ情報を参照することができ、自機の有する情報と他機の有する情報を基に最新のＥＰＧ構築することができる。【選択図】図３
2005175788.tif 000002
【特許請求の範囲】
【請求項１】
テレビ放送を受信する放送受信部と、該放送受信部が受信したテレビ放送信号から番組情報を抽出する番組情報抽出部と、番組情報を蓄積、保持する番組情報蓄積部と、ネットワーク接続するためのネットワークＩ／Ｆ部とを具備したテレビ放送受信器、及び複数の該テレビ放送受信器を接続するネットワークとで構成され、
各テレビ放送受信器の番組情報蓄積部は、他のいずれのテレビ放送受信器からアクセス可能であることを特徴とする番組情報システム。
【請求項２】
上記ネットワークに接続された第一のテレビ受信器において、上記番組情報蓄積部に保持されていない番組情報がある場合に、該保持されていない番組情報をネットワークを介して、上記ネットワークに接続された第二のテレビ放送受信器に要求することができ、
該第二のテレビ放送受信器は、該要求を受けた番組情報が番組情報蓄積部に保持されている場合は、該要求された番組情報を第一のテレビ放送受信器にネットワークを介して送信することを特徴とする請求項１に記載の番組情報システム。
【請求項３】
ネットワークに接続された第一のテレビ放送受信器が、ネットワークを介して、ネットワークに接続された第二のテレビ放送受信器の番組情報蓄積部の番組情報を読み出すことができることを特徴とする請求項１に記載の番組情報システム。
【請求項４】
各テレビ放送受信器にＩＰアドレスが設定され、ネットワークに接続される全てのテレビ放送受信器のＩＰアドレスを保持しているＩＰアドレス管理装置がネットワークに接続され、
ネットワークに接続された第一のテレビ放送受信器が、ネットワークに接続された第二のテレビ放送受信器にアクセスするときには、該ＩＰアドレス管理装置を経由し、第一のテレビ放送受信装置のＩＰアドレスがＩＰアドレス管理装置に登録されている場合に第二のテレビ放送受信装置の番組情報蓄積部から番組情報を読み出すことが可能であることを特徴とする請求項１に記載の番組情報システム。
【請求項５】
各テレビ放送受信器にＩＰアドレスが設定され、ネットワークに接続される全てのテレビ放送受信器のＩＰアドレスが各テレビ放送受信器に登録され、
ネットワークに接続された第二のテレビ放送受信器において、ネットワークに接続された第一のテレビ放送受信器のＩＰアドレスが登録されている場合に、第一のテレビ放送受信器が第二のテレビ放送受信器の番組情報蓄積部の番組情報を読み出すことができることを特徴とする請求項１に記載の番組情報システム。
【請求項６】
上記番組情報蓄積部には、番組情報と該番組情報をテレビ放送信号から抽出、獲得した日時とともに保持されており、第一のテレビ放送受信器は、自器の保持する番組情報の該日時及び第二のテレビ放送受信器の番組情報蓄積部より読み出された或いは獲得された番組情報の日時とを比較し、最も新しい日時の番組情報で第一のテレビ放送受信器の番組情報蓄積部に保持された番組情報を更新することを特徴とする請求項２乃至５の何れかに記載の番組情報システム。
【請求項７】
テレビ放送を受信する放送受信部と、該放送受信部が受信したテレビ放送信号から番組情報を抽出する番組情報抽出部と、番組情報を蓄積、保持する番組情報蓄積部と、ネットワーク接続するためのネットワークＩ／Ｆ部とを具備したテレビ放送受信器であって、
該ネットワークに接続された他のテレビ放送受信器から上記番組情報蓄積部にアクセスされることが可能であり、該ネットワークに接続された他のテレビ放送受信器の番組情報蓄積部にアクセスすることが可能であることを特徴とする番組情報システム。
【請求項８】
上記番組情報蓄積部に保持されていない番組情報がある場合に、該保持されていない番組情報を、ネットワークを介して、ネットワークに接続された他のテレビ放送受信器に要求し、受信することが可能であり、
ネットワークを介して番組情報の要求を受信したときには、上記番組情報蓄積部に要求された番組情報が保持されている場合には、該要求された番組情報を送信することを特徴とする請求項７に記載の番組情報システム。
【請求項９】
上記番組情報蓄積部に保持された番組情報は、ネットワークに接続された他のテレビ放送受信器から読み出されることが可能であり、
また、ネットワークに接続された他のテレビ放送受信器の番組情報蓄積部の番組情報も読み出すことができることを特徴とする請求項７に記載の番組情報システム。
【請求項１０】
ＩＰアドレスが設定され、
ネットワークに接続される全てのテレビ放送受信器のＩＰアドレスを保持しているＩＰアドレス管理装置にＩＰアドレスを登録しているテレビ放送受信器によって上記番組情報蓄積部に保持された番組情報を読み出されることが可能であり、
該ＩＰアドレス管理装置にＩＰアドレスを登録することで、ネットワークに接続している他のテレビ放送受信器の番組情報蓄積部に保持された番組情報を読み出すことが可能であることを特徴とする請求項７に記載の番組情報システム。
【請求項１１】
ＩＰアドレスが設定され、
ネットワークに接続される全てのテレビ放送受信器のＩＰアドレスを登録することで、ネットワークに接続している他のテレビ放送受信器によって上記番組情報蓄積部に保持された番組情報を読み出されることが可能であり、
ネットワークに接続されたテレビ放送受信器にＩＰアドレスを登録することで、ネットワークに接続された他のテレビ放送受信器の番組情報蓄積部に保持された番組情報を読み出すことができることを特徴とする請求項７に記載の番組情報システム。
【請求項１２】
上記番組情報蓄積部には、番組情報と該番組情報をテレビ放送信号から抽出、獲得した日時とともに保持されており、
自器の保持する番組情報の該日時及びネットワークに接続された他のテレビ放送受信器の番組情報蓄積部より読み出された或いは獲得された番組情報の日時とを比較し、最も新しい日時の番組情報で上記番組情報蓄積部に保持された番組情報を更新することを特徴とする請求項８乃至１１の何れかに記載の番組情報システム。
【発明の詳細な説明】
【技術分野】
【０００１】
本発明は、番組の主情報に番組に関する情報を多重して送信されるテレビ放送において、その番組情報を抽出して記憶する番組情報記憶装置に関する。
【背景技術】
【０００２】
近年、テレビジョン放送において、番組の主情報（映像、音声等）に番組表を作成するために必要な情報（番組表情報）を多重化して放送し、受信装置側でこの番組表情報を基に番組表を作成しこれを画面上に表示し、視聴者が画面上において番組の選択、予約を行うＥＰＧ（Electronic  Program  Guide）が実用化されている。
【０００３】
例えば、ＭＰＥＧ２を用いたデジタル放送では、視聴者が番組を選択、予約する際の手助けとなる情報としてＳＩ（Service  Information）が伝送される。これは、放送局毎に、一定時間間隔で送出される情報であり、放送局を識別するためのサービスＩＤ、番組を識別するための番組ＩＤ、番組タイトル、番組の放送開始時間、番組の放送時間長が含まれる。また、番組が属するグループ（番組の種別など）を識別するグループＩＤが含まれる場合もある。
【０００４】
番組情報が記憶できるテレビ放送受信器としては、一般にテレビ、ビデオレコーダがある。一般にテレビは図１１に示すようなシステム構造を有している。
【０００５】
アンテナ（１）は、屋外において所定の方向に向けて配置されており、デジタル放送波を受信する。このアンテナ（１）は、一般に周波数変換器を備え、受信／周波数変換した信号をチューナ（２）に与える。
【０００６】
チューナ（２）は、受信した高周波デジタル変調信号のうちから特定の周波数の信号を取り出す。すなわち、デジタル放送の複数のトランスポンダのなかから一つを選択する処理を行う。また、チューナ（２）は、復調回路、逆インターリーブ回路、誤り訂正回路などを備えることにより、選択したデジタル変調信号を復調してトランスポート・ストリームを出力する。
【０００７】
デマルチプレクサ（ＤＥＭＵＸ）（３）は、前記トランスポート・ストリームをＭＰＥＧ２（Ｍｏｖｉｎｇ  Ｐｉｃｔｕｒｅ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）などに分離する。デマルチムレクサ（３）は、ビデオストリームとオーディオストリームをＡＶデコーダ（４）に供給し、ＰＳＩ／ＳＩ等をシステムコントローラ（１２）に供給する。なお、トランスポート・ストリームには複数のチャンネルが多重化されており、この中から任意のチャンネルを選択するための処理は、上記ＰＳＩ／ＳＩから任意のチャンネルがトランスポート・ストリーム中でどのパケットＩＤで多重化されているといったデータを取り出すことで可能となる。またトランスポート・ストリームの選定（トランスポンダの選定）もＰＳＩ／ＳＩの情報に基づいて行うことができる。更に、ＳＩには番組情報（番組名、番組開始時間、番組継続時間、番組内容情報、番組ジャンル情報当）が含まれている。これらの情報はシステムコントローラ（１２）によって、メモリ（１５）に格納され、ＥＰＧ表示や番組予約等において利用される。
【０００８】
映像処理回路（５）はＡＶデコーダ（４）から映像データを受け取り、Ｄ／Ａ変換を行い、例えばＮＴＳＣフォーマットのコンポジット信号に変換する。音声信号処理回路（６）はＡＶデコーダ（４）から出力された音声データを受け取り、Ｄ／Ａ変換を行い、右（Ｒ）音のアナログ信号及び左（Ｌ）音のアナログ信号を生成する。映像出力回路（７）及び音声出力回路（８）は出力抵抗、増幅器等を備え、映像出力回路（７）からは受信映像が表示部（１１）を通じて出力され、音声出力回路（８）からはスピーカ（９）を通じて音声が出力される。
【０００９】
ＯＳＤ（オンスクリーンディスプレイ）表示回路（１３）は、システムコントローラ（１２）から出力指示された文字情報に基づく映像信号を加算器（１４）に出力する。加算器（１４）は上記映像信号を映像処理回路（５）から出力される映像信号に組み込む処理を行う。上記ＯＳＤ表示回路（１３）により、前述のＰＳＩに含まれるサービス情報に基づくＥＰＧ（Ｅｌｅｃｔｒｏｎｉｃ  Ｐｒｏｇｒａｍ  Ｇｕｉｄｅ）画面表示が実現される。
【００１０】
メモリ（例えば、ＲＡＭ、ＲＯＭ、ＥＥＰＲＯＭ、フラッシュメモリ等）（１５）には、番組情報（ＥＰＧ画面を構成するためのサービス情報等）、ユーザ入力情報、システムコントローラ（１２）により実行されるプログラム（予約処理プログラム等）、番組予約情報（開始時間、終了時間又は番組継続時間、受信チャンネル、録画／視聴の種別情報等）などが格納される。
【００１１】
リモコン送信機（１７）は、当該放送受信装置に指令を送出するための送信機である。このリモコン送信機（１７）に設けられた図示しないキーを操作すると、そのキーに対応した指令を意味する信号光（リモコン信号）が図示しない発光部から送出される。リモコン受光部（１６）は、上記信号光を受光し、これを電機信号に変換してシステムコントローラ（１２）に与える。
【００１２】
システムコントローラ（１２）は、上記リモコン送信機（１７）などによるユーザ指示に対応した各種処理を行う。
【特許文献１】特開平１０−１３７５６号公報
【発明の開示】
【発明が解決しようとする課題】
【００１３】
上記の如く従来のデジタルテレビでは、視聴しているチャンネル以外のチャンネルのＥＰＧ情報は、再送周期が遅いために、その取得に長い時間を要する。従って、テレビの電源を入れてから、視聴中のチャンネル以外のチャンネルのＥＰＧの表示がされるまで、かなりの時間を要することになる。
【００１４】
同様に、例えば、ＢＳデジタル放送の番組を視聴しているときには、ＣＳデジタル放送のＥＰＧ情報を取得することができないので、テレビの電源を入れた後に最初のＢＳデジタル放送のチャンネルからＣＳデジタル放送のチャンネルに切り換えるか、あるいはその逆でＣＳデジタル放送のチャンネルからＢＳデジタル放送のチャンネルに切り換えた場合に、ＥＰＧ情報が表示されるまで長い時間を待たなければならない。
【００１５】
さらに、上記のように長い時間をかけて全てのチャンネルのＥＰＧ情報を取得しても、その全てのＥＰＧ情報を蓄積、保持しておくためには大容量のメモリ（揮発性メモリ及び不揮発性メモリ）が必要になるという問題がある。
【００１６】
また、一度取得したＥＰＧ情報を不揮発性メモリに記憶しておくことで、一旦電源オフした後に再び電源を入れた場合に、取得に時間のかかるＥＰＧ情報を不揮発性メモリに蓄積されたＥＰＧ情報より取得する事で、素早くＥＰＧ情報を表示する方法が利用される場合がある。
【００１７】
しかし、この方法を利用しても、以前に電源オフする前に取得されていなかったＥＰＧ情報は、不揮発性メモリに記憶されていないので、電源を入れた後に放送波から取得する必要がある。
【００１８】
さらに、電源オフしてから次に電源を入れるまでに長い時間が経過している場合には、不揮発性メモリに記憶されているＥＰＧ情報は古いデータになっている。従って、表示したい番組のＥＰＧ情報が不揮発性メモリに記憶されているＥＰＧ情報に含まれていない場合や、放送スケジュールが変更になる場合などが発生する可能性がる。この場合、最新のＥＰＧ情報を取得する必要があり、結局、従来通り、電源を入れた後に放送波から取得することになり、最新のＥＰＧ情報の表示に時間がかかるという問題が発生することにかわりはない。
【課題を解決するための手段】
【００１９】
本願発明は、上記問題に鑑みなされたものであり、テレビ放送を受信する放送受信部と、該放送受信部が受信したテレビ放送信号から番組情報を抽出する番組情報抽出部と、番組情報を蓄積、保持する番組情報蓄積部と、ネットワーク接続するためのネットワークＩ／Ｆ部とを具備したテレビ放送受信器、及び複数の該テレビ放送受信器を接続するネットワークとで構成され、各テレビ放送受信器の番組情報蓄積部は、他のいずれのテレビ放送受信器からアクセス可能であることを特徴とする番組情報システムである。
【００２０】
さらに、上記ネットワークに接続された第一のテレビ受信器において、上記番組情報蓄積部に保持されていない番組情報がある場合に、該保持されていない番組情報をネットワークを介して、上記ネットワークに接続された第二のテレビ放送受信器に要求することができ、該第二のテレビ放送受信器は、該要求を受けた番組情報が番組情報蓄積部に保持されている場合は、該要求された番組情報を第一のテレビ放送受信器にネットワークを介して送信するように構成することもできる。
【００２１】
又は、ネットワークに接続された第一のテレビ放送受信器が、ネットワークを介して、ネットワークに接続された第二のテレビ放送受信器の番組情報蓄積部の番組情報も読み出すことができるように構成することもできる。
【００２２】
又は、各テレビ放送受信器にＩＰアドレスが設定され、ネットワークに接続される全てのテレビ放送受信器のＩＰアドレスを保持しているＩＰアドレス管理装置がネットワークに接続され、ネットワークに接続された第一のテレビ放送受信器が、ネットワークに接続された第二のテレビ放送受信器にアクセスするときには、該ＩＰアドレス管理装置を経由し、第一のテレビ放送受信装置のＩＰアドレスがＩＰアドレス管理装置に登録されている場合に第二のテレビ放送受信装置の番組情報蓄積部から番組情報を読み出すことが可能であるように構成することもできる。
【００２３】
又は、各テレビ放送受信器にＩＰアドレスが設定され、ネットワークに接続される全てのテレビ放送受信器のＩＰアドレスが各テレビ放送受信器に登録され、ネットワークに接続された第二のテレビ放送受信器において、ネットワークに接続された第一のテレビ放送受信器のＩＰアドレスが登録されている場合に、第一のテレビ放送受信器が第二のテレビ放送受信器の番組情報蓄積部の番組情報を読み出すことができるように構成することもできる。
【００２４】
さらに、上記番組情報蓄積部には、番組情報と該番組情報をテレビ放送信号から抽出、獲得した日時とともに保持されており、第一のテレビ放送受信器は、自器の保持する番組情報の該日時及び第二のテレビ放送受信器の番組情報蓄積部より読み出された或いは獲得された番組情報の日時とを比較し、最も新しい日時の番組情報で第一のテレビ放送受信器の番組情報蓄積部に保持された番組情報を更新するように構成することが望ましい。
【００２５】
また、本願発明は、テレビ放送を受信する放送受信部と、該放送受信部が受信したテレビ放送信号から番組情報を抽出する番組情報抽出部と、番組情報を蓄積、保持する番組情報蓄積部と、ネットワーク接続するためのネットワークＩ／Ｆ部とを具備したテレビ放送受信器であって、該ネットワークに接続された他のテレビ放送受信器から上記番組情報蓄積部にアクセスされることが可能であり、該ネットワークに接続された他のテレビ放送受信器の番組情報蓄積部にアクセスすることが可能であることを特徴とする番組情報システムでもある。
【００２６】
さらに、上記番組情報蓄積部に保持されていない番組情報がある場合に、該保持されていない番組情報を、ネットワークを介して、ネットワークに接続された他のテレビ放送受信器に要求し、受信することが可能であり、ネットワークを介して番組情報の要求を受信したときには、上記番組情報蓄積部に要求された番組情報が保持されている場合には、該要求された番組情報を送信するように構成することができる。
【００２７】
又は、上記番組情報蓄積部に保持された番組情報は、ネットワークに接続された他のテレビ放送受信器から読み出されることが可能であり、また、ネットワークに接続された他のテレビ放送受信器の番組情報蓄積部の番組情報を読み出すことができるように構成することができる。
【００２８】
又は、ＩＰアドレスが設定され、ネットワークに接続される全てのテレビ放送受信器のＩＰアドレスを保持しているＩＰアドレス管理装置にＩＰアドレスを登録しているテレビ放送受信器によって上記番組情報蓄積部に保持された番組情報を読み出されることが可能であり、該ＩＰアドレス管理装置にＩＰアドレスを登録することで、ネットワークに接続している他のテレビ放送受信器の番組情報蓄積部に保持された番組情報を読み出すことが可能であるように構成することもできる。
【００２９】
又は、ＩＰアドレスが設定され、ネットワークに接続される全てのテレビ放送受信器のＩＰアドレスを登録することで、ネットワークに接続している他のテレビ放送受信器によって上記番組情報蓄積部に保持された番組情報を読み出されることが可能であり、ネットワークに接続されたテレビ放送受信器にＩＰアドレスを登録することで、ネットワークに接続された他のテレビ放送受信器の番組情報蓄積部に保持された番組情報を読み出すように構成することもできる。
【００３０】
さらに、上記番組情報蓄積部には、番組情報と該番組情報をテレビ放送信号から抽出、獲得した日時とともに保持されており、自器の保持する番組情報の該日時及びネットワークに接続された他のテレビ放送受信器の番組情報蓄積部より読み出された或いは獲得された番組情報の日時とを比較し、最も新しい日時の番組情報で上記番組情報蓄積部に保持された番組情報を更新するように構成することが望ましい。
【発明の効果】
【００３１】
上記の如く、本願発明による番組情報システムを使用した場合、従来技術による単体のデジタルテレビよりもＥＰＧ情報を迅速に獲得することができる。また、ＥＰＧ情報管理サーバにＥＰＧ情報のためのメモリを具備し、統括的にＥＰＧ情報を記憶、保持できるため、システム全体としてもメモリの必要容量を低減することができる。
【００３２】
さらには、テレビ受信機そのものにＥＰＧ情報用のメモリ領域を設けなくても、ＥＰＧ情報管理サーバに保持されている情報を参照するだけで最新の情報を得ることができる。
【００３３】
特に、本発明は共聴システムなどを有する共同住宅においては構築が容易であり、ネットワークに接続できるテレビ受信機の数が多くなるほど、すなわち規模の大きな共同住宅程、本発明の効果は増大する。
【発明を実施するための最良の形態】
【００３４】
本発明では、各テレビ受信機がＥＰＧ情報を保持するための不揮発性メモリを有し、各テレビがネットワーク接続することで、各テレビの不揮発性メモリに記憶されたＥＰＧ情報をネットワーク接続されている他のテレビ受信機に公開することで、ＥＰＧ情報を共有化する。以下、図面に従って、本発明を実施するための形態について説明を行う。
（実施例１）
第一の実施例は、図１に示す如く、各テレビ受信機（１０）がネットワーク（２０）を介して接続され、各テレビ受信機が保持しているＥＰＧ情報を共有化する。図１では、各テレビは、夫々アンテナと接続されているが、集合住宅における共聴システムのように1本のアンテナを共有していても構わない。
【００３５】
第一の実施例は、図１に示す構成となっている。テレビ受信機側（１０）では、アンテナ（１）は、屋外において所定の方向に向けて配置されており、デジタル放送波を受信する。このアンテナ（１）は、一般に周波数変換器を備え、受信／周波数変換した信号をチューナ（２）に与える。
【００３６】
チューナ（２）は、受信した高周波デジタル変調信号のうちから特定の周波数の信号を取り出す。すなわち、デジタル放送の複数のトランスポンダのなかから一つを選択する処理を行う。また、チューナ（２）は、復調回路、逆インターリーブ回路、誤り訂正回路などを備えることにより、選択したデジタル変調信号を復調してトランスポート・ストリームを出力する。
【００３７】
デマルチプレクサ（ＤＥＭＵＸ）（３）は、前記トランスポート・ストリームをＭＰＥＧ２（Ｍｏｖｉｎｇ  Ｐｉｃｔｕｒｅ  Ｇｒｏｕｐ２）のビデオストリーム、オーディオストリーム（ＡＶストリーム）、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）などを含むデータストリームに分離する。デマルチプレクサ（３）は、ＡＶストリームをＡＶデコーダ（４）に供給し、データストリームをシステムコントローラ（１２）に供給する。なお、トランスポート・ストリームには複数のチャンネルが多重化されており、この中から任意のチャンネルを選択するための処理は、上記ＰＳＩ／ＳＩから任意のチャンネルがトランスポート・ストリーム中でどのパケットＩＤで多重化されているといったデータを取り出すことで可能となる。
【００３８】
またトランスポート・ストリームの選定（トランスポンダの選定）もＰＳＩ／ＳＩの情報に基づいて行うことができる。更に、ＰＳＩには番組情報（番組名、番組開始時間、番組継続時間、番組内容情報、番組ジャンル情報当）が含まれている。これらの情報はシステムコントローラ（１２）によって、メモリ（１５）内のＥＰＧ情報記憶部（１９）に記憶され、ＥＰＧ表示や番組予約等において利用される。
【００３９】
映像処理回路（５）はＡＶデコーダ（４）から映像データを受け取り、Ｄ／Ａ変換を行い、例えばＮＴＳＣフォーマットのコンポジット信号に変換する。音声信号処理回路（６）はＡＶデコーダ（４）から出力された音声データを受け取り、Ｄ／Ａ変換を行い、右（Ｒ）音のアナログ信号及び左（Ｌ）音のアナログ信号を生成する。映像出力回路（７）及び音声出力回路（８）は出力抵抗、増幅器等を備え、映像出力回路（７）からは受信映像が、ＣＲＴ、液晶パネル、ＰＤＰなどのディスプレイである表示部（１１）を通じて出力され、音声出力回路（８）からはスピーカ（９）を通じて音声が出力される。
【００４０】
ＯＳＤ（オンスクリーンディスプレイ）表示回路（１３）は、システムコントローラ（１２）から出力指示された文字情報に基づく映像信号を加算器（１４）に出力する。加算器（１４）は上記映像信号を映像処理回路（５）から出力される映像信号に組み込む処理を行う。上記ＯＳＤ表示回路（１３）により、前述のＰＳＩに含まれるサービス情報に基づくＥＰＧ（Ｅｌｅｃｔｒｏｎｉｃ  Ｐｒｏｇｒａｍ  Ｇｕｉｄｅ）画面表示が実現される。
【００４１】
メモリ（例えば、ＲＡＭ、ＲＯＭ、ＥＥＰＲＯＭ、フラッシュメモリ等）（１５）には、番組情報（ＥＰＧ画面を構成するためのサービス情報等）、ユーザ入力情報、システムコントローラ（１２）により実行されるプログラム（予約処理プログラム等）、番組予約情報（開始時間、終了時間又は番組継続時間、受信チャンネル、録画／視聴の種別情報等）などが格納される。
【００４２】
リモコン送信機（１７）は、当該放送受信装置に指令を送出するための送信機である。このリモコン送信機（１７）に設けられた図示しないキーを操作すると、そのキーに対応した指令を意味する信号光（リモコン信号）が図示しない発光部から送出される。リモコン受光部（１６）は、上記信号光を受光し、これを電機信号に変換してシステムコントローラ（１２）に与える。
【００４３】
システムコントローラ（１２）は、上記リモコン送信機（１７）などによるユーザ指示に対応した各種処理を行う。
【００４４】
視聴者からの操作によりＥＰＧを表示する場合には、システムコントローラ（１２）は、ＥＰＧ情報記憶部（１９）からＥＰＧ情報を読み出す。その時、取得できていないＥＰＧ情報（例えば取得されていないチャンネル、時間帯に関する情報）があれば、ネットワークＩ／Ｆ部（１８）を介してネットワーク（２０）にアクセスして、ネットワーク（２０）に接続されている全ての他のテレビ受信機に所望のＥＰＧ情報をリクエストする。
【００４５】
同時に、他のテレビ受信機からネットワークＩ／Ｆ部（１８）を介してＥＰＧ情報のリクエストを受けた場合、システムコントローラ（１２）は、ＥＰＧ情報記憶部（１９）をサーチし、リクエストを受けたＥＰＧ情報が見つかれば、そのＥＰＧ情報をネットワークＩ／Ｆ（１８）を介して、リクエストをしたテレビ受信機に送信する。
【００４６】
このように、他のテレビ受信機のＥＰＧ情報記憶部から所望のＥＰＧ情報が見つかれば、その情報と自機のＥＰＧ情報記憶部（１９）に記憶された情報を元にＥＰＧを表示する。一方、所望のＥＰＧ情報が見つからなかった場合は、ＥＰＧ中の取得できていない情報表示部分に「データ取得中」等の表示を行ってＥＰＧ表示し、テレビ放送波中からそのＥＰＧ情報が取得できたときに、その情報を表示するようにする。
【００４７】
次に、本願発明の第一の実施例におけるテレビ受信機における処理について、図２に基づいてさらに詳細に説明する。テレビ受像機の電源がオンになると（ステップ２０１）、各回路部に電源が供給される（ステップ２０２）。番組を視聴中の場合は（ステップ２０３）、アンテナ（１）、チューナ（２）を用いてテレビ放送波を受信し（ステップ２１６）、デマルチプレクサ（３）において受信されたテレビ放送波から、ＳＩやＰＳＩなどが含まれるデータパケットと、映像、音声が含まれるＡＶストリームに分離され、システムコントローラ（１２）によってデータストリームからＥＰＧ情報が抽出される（ステップ２１７）。抽出されたＥＰＧ情報とそのＥＰＧ情報を獲得した日時を自機のＥＰＧ情報記憶部（１９）に上書きすることで、記憶情報を更新する（ステップ２１８）
同時に、番組視聴中であるかどうかにかかわらず、リモコン（１７）を操作し、リモコン受信機（１６）を介してＥＰＧ表示をするための操作がなされた場合（ステップ２０４）、ＥＰＧ情報記憶部（１９）をチェックし（ステップ２０５）、未獲得のＥＰＧ情報がない場合は（ステップ２０６）、ＥＰＧを表示する（ステップ２１１）。すなわち、ＥＰＧ情報が記憶されていないチャンネルや時間帯がない場合は、その記憶されているＥＰＧ情報を元にＥＰＧを表示する。
【００４８】
一方、未獲得のＥＰＧがある場合は（ステップ２０６）、未獲得のＥＰＧ情報をネットワークＩ／Ｆ部（１８）を介してネットワーク（２０）に接続された他の全てのテレビ受信機にリクエストをする（ステップ２０７）。すなわちＥＰＧ情報が未獲得であるチャンネルや時間帯を指定して、他のテレビ受信機にリクエストをする。
【００４９】
他のテレビ受信機がリクエストをしたＥＰＧ情報を持っている場合はその情報が送られてくる（ステップ２０８）。この場合、全てのテレビ受信機がリクエストしたＥＰＧ情報を持っているかどうかを確認するのに要する一定時間（例えば５秒）待って、リクエストしたＥＰＧ情報が送られて来なければ、他のテレビ受信機もリクエストしたＥＰＧ情報を持っていないと判断する。或いは、各テレビ受信機が、リクエストをしたＥＰＧ情報を持っていない場合は、そのことを示すメッセージが送られてきて、全ての他のテレビ受信機からそのメッセージが送られてきたら、他のテレビ受信機も全てリクエストしたＥＰＧ情報を持っていないと判断するようにしても構わない。
【００５０】
リクエストしたＥＰＧ情報が得られなかった場合は（ステップ２０８）、その時点で得られているＥＰＧ情報のみでＥＰＧ表示を行い（ステップ２１１）、ＥＰＧ情報が獲得できていないチャンネルや時間帯に対しては、「データ獲得中」などの情報が獲得できていない旨のメッセージも同時に表示する（ステップ２１１）。
【００５１】
リクエストしたＥＰＧ情報が複数のテレビ受信機から得られた場合は（ステップ２０８）、各ＥＰＧ情報が獲得された日付を比較し最新の情報を選んで（ステップ２０９）、ＥＰＧ情報記憶部（１９）に記憶する（ステップ２１０）。そして、そのＥＰＧ情報記憶部（１９）に記憶されているＥＰＧ情報を用いてＥＰＧを表示する（ステップ２１１）。
【００５２】
同時に、上記の如くネットワークＩ／Ｆ部（１８）を介して他のテレビ受信機からＥＰＧ情報のリクエストがあった場合（ステップ２１３）、リクエストされたＥＰＧ情報がＥＰＧ情報記憶部（１９）に記憶されているかどうかを確認し、リクエストされたＥＰＧ情報がある場合は（ステップ２１４）、そのＥＰＧ情報をリクエストをしたテレビ受信機に対してネットワークＩ／Ｆ部（１８）及びネットワーク（２０）を介して送信する（ステップ２１５）。
【００５３】
テレビ受像機の電源がオフにされるまで、上記ステップ２０３からステップ２１８までの処理が繰り返し行われる（ステップ２１２）。
（実施例２）
第二の実施例は、図１と同じ構成であるが、図３に示すように各テレビ受信機のＥＰＧ情報記憶部（１９）を公開メモリにし、どのテレビ受信機からもアクセスしてＥＰＧ情報を読み出すことができるようにする。しかし、ＥＰＧ情報記憶部（１９）は自機においてのみ書き込み可能で他のテレビ受信機からはリードオンリーに設定することで、ＥＰＧ情報記憶部（１９）が他のテレビ受信機によって知らない間に書き換えられてしまっているという事態を避けるようにする。
【００５４】
第一の実施例では、他のテレビ受信機に対して所望のＥＰＧデータをリクエストすることによって、相手のテレビ受信機からそのＥＰＧデータを送ってもらう必要がある。第二の実施例では、ネットワーク（２０）に接続されているテレビ受信機の各ＥＰＧ情報記憶部に直接アクセスをして、自機のＥＰＧ情報記憶部の如くＥＰＧ情報を読み出すことができる。すなわち、各テレビ受信機のＥＰＧ情報記憶部は、ネットワーク（２０）によって全てのテレビ受信機に共有されることになる。
【００５５】
そのために、各テレビ受信機のＥＰＧ情報記憶部はネットワーク上で共有（公開）されるようにパーミッションが設定されている。従って、各テレビ受信機のＥＰＧ情報記憶部は、ネットワークに接続されている全てのテレビ受信機からアクセスし、その情報を読み出すことが可能になり、新たなテレビ受信機がネットワーク（２０）に接続されれば、自動的にその新しいテレビ受信機からも各テレビ受信機のＥＰＧ情報記憶部へアクセスできるようになる。また、新しく接続されたテレビ受信機のＥＰＧ情報記憶部も同様にパーミッションを設定することで、他のテレビ受信機からもアクセスできるようになる。或いは、工場出荷時にデフォルトとして予めパーミッションをそのように設定しておいても構わない。
【００５６】
次に、本願発明のテレビ受信機における処理について、図４に基づいて説明する。テレビ受像機の電源がオンになると（ステップ４０１）、各回路部に電源が供給される（ステップ４０２）。番組を視聴中の場合は（ステップ４０３）、アンテナ（１）、チューナ（２）を用いてテレビ放送波を受信し（ステップ４１１）、デマルチプレクサ（３）において受信されたテレビ放送波から、ＳＩやＰＳＩなどが含まれるデータストリームと、映像、音声が含まれるＡＶストリームに分離され、システムコントローラ（１２）によってＰＳＩからＥＰＧ情報が抽出される（ステップ４１２）。抽出されたＥＰＧ情報とそのＥＰＧ情報を獲得した日時を自機のＥＰＧ情報記憶部（１９）に上書きすることで、記憶情報を更新する（ステップ４１３）
同時に、番組視聴中であるかどうかにかかわらず、リモコン（１７）を操作し、リモコン受信機（１６）を介してＥＰＧ表示をするための操作がなされた場合（ステップ４０４）、ネットワークＩ／Ｆ部（１８）を介してネットワーク（２０）に接続されている各テレビ受信機のＥＰＧ情報記憶部（１９）を夫々チェックする（ステップ４０５）。各ＥＰＧ情報記憶部に記憶されているＥＰＧ情報を自機のＥＰＧ情報記憶部（１９）に記憶することで自機のＥＰＧ情報記憶部（１９）の記憶情報を更新していく（ステップ４０９）。この時、重複する情報がないかをチェックしながら行い、重複する情報（同じチャンネル、同じ時間帯等）があれば（ステップ４０６）、その情報に付随する日付（その情報を獲得した日時）を比較し、最も新しい情報を選択する（ステップ４０７）。このようにして、自機のＥＰＧ情報記憶部の情報が更新され（ステップ４０８）、ＥＰＧが表示部（１１）に表示される。
【００５７】
テレビ受信機の電源がオフされるまで、上記ステップ４０３からステップ４１０までの動作が繰り返される。
【００５８】
テレビ受信機の電源がオフされると（ステップ４１０）、図４に記載の処理を含むあらゆる処理が停止されるが、ＥＰＧ情報記憶部（１９）とネットワークＩ／Ｆ部（１８）のみは動作させ、他のテレビ受信機からのアクセスを受け付けられるようにする。
【００５９】
（実施例３）
上記第二の実施例において、ＩＰアドレス管理装置を設けてもよい。第三の実施例は、図５に示す構成となり、各テレビ受信機の構成は、第二の実施例と同じである。
【００６０】
第三の実施例では、各テレビ受信機にＩＰアドレスを付し、各テレビ受信機のＩＰアドレスをＩＰアドレス管理装置（５０）におけるＩＰアドレス記憶部（５２）に登録する。各テレビ受信機がネットワーク（２０）にアクセスするときは、必ずＩＰアドレス管理装置を介して、ＩＰアドレスを確認するものとする。アクセスしたテレビ受信機のＩＰアドレスがＩＰアドレス管理装置（５０）に登録されている場合のみネットワーク（２０）へのアクセスが可能になる。すなわち、物理的にテレビ受信機をネットワーク（２０）に接続しただけでは、ネットワーク（２０）に接続された他のテレビ受信機のＥＰＧ情報記憶部にアクセスしてＥＰＧ情報を読み取ることはできない。ネットワーク（２０）へアクセスするためには、必ずＩＰアドレスの認証が必要であり、予めＩＰアドレスをＩＰアドレス管理装置に登録する必要がある。
【００６１】
具体的な動作を図６及び図７のフローチャートに示す。以下図６、図７及び図８のフローチャートを用いて説明する。図６はテレビ受信機の動作フローチャートであり、図７はＩＰアドレス管理装置（５０）の動作フローチャートであり、図８はＩＰアドレス管理装置（５０）の新規ＩＰアドレス登録のフローチャートである。
【００６２】
まず、ネットワーク（２０）に接続されるテレビ受信機はそのテレビ受信機固有のＩＰアドレスをＩＰアドレス管理装置（５０）に登録する。具体的には、図８に示すように、新規接続の場合は（ステップ８０１）、ＩＰアドレス管理装置（５０）の管理者がＩＰアドレス管理装置（５０）を操作して、新しいＩＰアドレスを入力し（ステップ８０２）、ＩＰアドレス記憶部（５３）に記憶させる（ステップ８０３）。
【００６３】
或いは、新たにネットワークに接続されたテレビ受信機からネットワーク（２０）を通じ、ネットワークＩ／Ｆ部（５２）を介して新しいＩＰアドレスを入力して（ステップ８０２）、管理ＣＰＵ（５１）にてそのＩＰアドレスをＩＰアドレス記憶部（５３）に記憶するようにしてもよい。この時、テレビ受信機からは、ユーザのテレビ受信機操作によって、新しいＩＰアドレスである旨を示すメッセージと共にＩＰアドレスが送られてきてもよいし、ＩＰアドレスのみが送られてきて、管理ＣＰＵ（５１）が、そのＩＰアドレスがＩＰアドレス記憶部（５３）に記憶されているかどうかを確認することで新規であるか否かを判断するようにしても構わない。
【００６４】
或いは、新たにテレビ受信機がネットワーク（２０）に物理的に接続されたときに、プラグアンドプレイで自動的に新規のＩＰアドレスが送られてくるようにしても構わない。
【００６５】
或いは、新たにテレビ受信機がネットワーク（２０）に物理的に接続された状態で、ＥＰＧ表示操作を行った際に認証のためにＩＰアドレスが送信され（後述）、ネットワークＩ／Ｆ部（５２）を介してそのＩＰアドレスを受信した時に、管理ＣＰＵ（５１）が新規登録するかどうかのメッセージをネットワークＩ／Ｆ部（５２）を介して返し、ネットワークＩ／Ｆ部（５２）を介して新規登録する旨のメッセージが返ってきたことで新規登録すると判断し（ステップ８０１）、そのＩＰアドレスを新規アドレスとして認識し（ステップ８０２）、管理ＣＰＵ（５１）で自動的に新規のＩＰアドレスをＩＰアドレス記憶部（５３）に記憶するようにしても構わない。
【００６６】
次にテレビ受信機の動作を図６のフローチャートに基づいて説明する。テレビ受像機の電源がオンになると（ステップ６０１）、各回路部に電源が供給される（ステップ６０２）。
【００６７】
まず、このテレビ受信機が新たにネットワーク（２０）に接続されたのでれば（ステップ６１６）、新規登録を行うことができる。ネットワーク新規接続の場合は、自機のＩＰアドレスを設定する（ステップ６１７）。具体的には、テレビ受信機のメニュー画面からＩＰアドレスの設定項目を選んで設定すればよい。次に、ＩＰアドレス管理装置に登録を行う場合は（ステップ６１８）、ネットワークＩ／Ｆ部（１８）を介して、設定したＩＰアドレスと共に新規登録申請を行うことでＩＰアドレス管理装置（５０）のＩＰアドレス記憶部（５３）にＩＰアドレスが登録される（ステップ６１９）。この時点で新規登録しない場合は（ステップ６１８）、ステップ６０３の動作に移る。
【００６８】
番組を視聴中の場合は（ステップ６０３）、アンテナ（１）、チューナ（２）を用いてテレビ放送波を受信し（ステップ６１３）、デマルチプレクサ（３）において受信されたテレビ放送波から、ＳＩやＰＳＩなどが含まれるデータストリームと、映像、音声が含まれるＡＶストリームに分離され、システムコントローラ（１２）によってＰＳＩからＥＰＧ情報が抽出される（ステップ６１４）。抽出されたＥＰＧ情報とそのＥＰＧ情報を獲得した日時を自機のＥＰＧ情報記憶部（１９）に上書きすることで、記憶情報を更新する（ステップ６１５）
同時に、番組視聴中であるかどうかにかかわらず、リモコン（１７）を操作し、リモコン受信機（１６）を介してＥＰＧ表示をするための操作がなされた場合（ステップ６０４）、ネットワークＩ／Ｆ部（１８）を介してネットワーク上（２０）のＩＰアドレス管理装置（５０）に対して認証信号を送る（ステップ６０５）。ここで、認証信号とは、例えば、認証要求メッセージと自機のＩＰアドレスを含む信号である。送られた認証信号は、ＩＰアドレス管理装置（５０）において、上で説明したように図７のフローチャートで送信されてきたＩＰアドレスがＩＰアドレス記憶部（５３）に登録されているかどうかを確認する。
【００６９】
ここで、確認ＮＧメッセージを受け取ると（ステップ６０６）、認証確認できなかったことを意味し、テレビ受信機はユーザに対してネットワーク（２０）への新規登録を行うかどうかのメッセージを表示する。ここで、ユーザが新規登録をしないことを決定する操作を行うと（例えば、画面上に新規登録のＹＥＳ／ＮＯの選択肢を表示し、ＮＯを選択する）（ステップ６２０）、自機のＥＰＧ情報記憶部（１９）に記憶されている情報のみに基づいてＥＰＧを表示する（ステップ６１１）
一方、新規登録することを決定する操作を行うと（例えば、画面上に新規登録のＹＥＳ／ＮＯの選択肢を表示し、ＹＥＳを選択する）（ステップ６２０）、自機は新規登録申請を行ってＩＰアドレス管理装置（５０）への登録を行う（ステップ６２１）。或いは、認証確認がＯＫであった場合は（ステップ６０６）、ネットワークＩ／Ｆ部（１８）を介してネットワーク（２０）に接続されている各テレビ受信機のＥＰＧ情報記憶部（１９）を夫々チェックする（ステップ６０７）。
【００７０】
各ＥＰＧ情報記憶部に記憶されているＥＰＧ情報を自機のＥＰＧ情報記憶部（１９）に記憶することで自機のＥＰＧ情報記憶部（１９）の記憶情報を更新していく（ステップ６１０）。この時、重複する情報がないかをチェックしながら行い、重複する情報（同じチャンネル、同じ時間帯等）があれば（ステップ６０８）、その情報に付随する日付（その情報を獲得した日時）を比較し、最も新しい情報を選択する（ステップ６０９）。このようにして、自機のＥＰＧ情報記憶部の情報が更新され（ステップ６１０）、ＥＰＧが表示部（１１）に表示される。
【００７１】
テレビ受信機の電源がオフされるまで、上記ステップ６０３からステップ６２１までの動作が繰り返される。
【００７２】
テレビ受信機の電源がオフされると（ステップ６１２）、図６に記載の処理を含むあらゆる処理が停止されるが、ＥＰＧ情報記憶部（１９）とネットワークＩ／Ｆ部（１８）のみは動作させ、他のテレビ受信機からのアクセスを受け付けられるようにする
（実施例４）
第四の実施例では、実施例３と同じ構造を有し、ＩＰアドレス管理装置に登録されているＩＰアドレスを書くテレビ受信機に送信し、各テレビ受信機において各ＩＰアドレスを有する機器からのアクセスを許可するパーミッションを設定する。
【００７３】
第四の実施例におけるテレビ受信機の動作のフローチャートを図９、ＩＰアドレス管理装置をの動作のフローチャートを図１０に示す。
【００７４】
第四の実施例では、各テレビ受信機にＩＰアドレスを付し、各テレビ受信機のＩＰアドレスをＩＰアドレス管理装置（５０）におけるＩＰアドレス記憶部（５２）に登録する。ＩＰアドレス管理装置は、登録されたＩＰアドレスからのアクセスを可能にするようなパーミッション設定ファイルを作成して、各テレビ受信機に送信して、各テレビ受信機のパーミッションを設定変更する。従って、各テレビ受像機では、ＩＰアドレス管理装置にＩＰアドレスを登録しているテレビ受信装置にアクセス許可が与えられる。すなわち、物理的にテレビ受信機をネットワーク（２０）に接続しただけでは、ネットワーク（２０）に接続された他のテレビ受信機のＥＰＧ情報記憶部にアクセスしてＥＰＧ情報を読み取ることはできない。ネットワーク（２０）へアクセスするためには、必ずＩＰアドレスをＩＰアドレス管理装置（５３）に登録し、ネットワーク（２０）に接続されたテレビ受信機のパーミッション設定を変更する必要がある。
【００７５】
具体的な動作を図９、図１０のフローチャートを用いて説明する。
【００７６】
まず、ネットワーク（２０）に接続されるテレビ受信機はそのテレビ受信機固有のＩＰアドレスをＩＰアドレス管理装置（５０）に登録する。具体的には、図１０に示すように、新規接続の場合は（ステップ１００１）、ＩＰアドレス管理装置（５０）の管理者がＩＰアドレス管理装置（５０）を操作して、新しいＩＰアドレスを入力し（ステップ１００２）、ＩＰアドレス記憶部（５３）に記憶させる（ステップ１００３）。新たに登録されたＩＰアドレスを含めた全ての登録されているＩＰアドレスに対してアクセス許可を与えるパーミッション設定ファイルを作成して、全テレビ受信機に送信する（ステップ１００４）。
【００７７】
或いは、新たにネットワークに接続されたテレビ受信機からネットワーク（２０）を通じ、ネットワークＩ／Ｆ部（５２）を介して新しいＩＰアドレスを入力して（ステップ１００２）、管理ＣＰＵ（５１）にてそのＩＰアドレスをＩＰアドレス記憶部（５３）に記憶するようにしてもよい。この時、テレビ受信機からは、ユーザのテレビ受信機操作によって、新しいＩＰアドレスである旨を示すメッセージと共にＩＰアドレスが送られてきてもよいし、ＩＰアドレスのみが送られてきて、管理ＣＰＵ（５１）が、そのＩＰアドレスがＩＰアドレス記憶部（５３）に記憶されているかどうかを確認することで新規であるか否かを判断するようにしても構わない。
【００７８】
或いは、新たにテレビ受信機がネットワーク（２０）に物理的に接続されたときに、プラグアンドプレイで自動的に新規のＩＰアドレスが送られてくるようにしても構わない。
【００７９】
或いは、新たにテレビ受信機がネットワーク（２０）に物理的に接続された状態で、ＥＰＧ表示操作を行った際に他のテレビ受信機にアクセスできなかった場合に、ＩＰアドレスが送信され（後述）、ネットワークＩ／Ｆ部（５２）を介してそのＩＰアドレスを受信した時に、管理ＣＰＵ（５１）が新規登録するかどうかのメッセージをネットワークＩ／Ｆ部（５２）を介して返し、ネットワークＩ／Ｆ部（５２）を介して新規登録する旨のメッセージが返ってきたことで新規登録すると判断し（ステップ１００１）、そのＩＰアドレスを新規アドレスとして認識し（ステップ１００２）、管理ＣＰＵ（５１）で自動的に新規のＩＰアドレスをＩＰアドレス記憶部（５３）に記憶するようにしても構わない。
【００８０】
次にテレビ受信機の動作を図９のフローチャートに基づいて説明する。テレビ受像機の電源がオンになると（ステップ９０１）、各回路部に電源が供給される（ステップ９０２）。
【００８１】
まず、このテレビ受信機が新たにネットワーク（２０）に接続されたのでれば（ステップ９１５）、新規登録を行うことができる。ネットワーク新規接続の場合は、自機のＩＰアドレスを設定する（ステップ９１６）。具体的には、テレビ受信機のメニュー画面からＩＰアドレスの設定項目を選んで設定すればよい。次に、ＩＰアドレス管理装置に登録を行う場合は（ステップ９１７）、ネットワークＩ／Ｆ部（１８）を介して、設定したＩＰアドレスと共に新規登録申請を行うことでＩＰアドレス管理装置（５０）のＩＰアドレス記憶部（５３）にＩＰアドレスが登録される（ステップ９１８）。この時点で新規登録しない場合は（ステップ９１９）、ステップ９０３の動作に移る。
【００８２】
新規登録する場合は（ステップ９１７）、その新しいＩＰアドレスをＩＰアドレス記憶部（５３）に記憶する（ステップ９１８）。さらに新しく登録されたＩＰアドレスを含む登録された全てのＩＰアドレスに対してアクセス許可を与えるパーミッション設定のためのファイルが作成されて受信端末装置（５０）から送られてきて、テレビ受信端末のパーミッション設定が変更される。
【００８３】
番組を視聴中の場合は（ステップ９０３）、アンテナ（１）、チューナ（２）を用いてテレビ放送波を受信し（ステップ９１２）、デマルチプレクサ（３）において受信されたテレビ放送波から、ＳＩやＰＳＩなどが含まれるデータストリームと、映像、音声が含まれるＡＶストリームに分離され、システムコントローラ（１２）によってＰＳＩからＥＰＧ情報が抽出される（ステップ９１３）。抽出されたＥＰＧ情報とそのＥＰＧ情報を獲得した日時を自機のＥＰＧ情報記憶部（１９）に上書きすることで、記憶情報を更新する（ステップ９１４）
同時に、番組視聴中であるかどうかにかかわらず、リモコン（１７）を操作し、リモコン受信機（１６）を介してＥＰＧ表示をするための操作がなされた場合（ステップ９０４）、ネットワークＩ／Ｆ部（１８）を介してネットワーク上（２０）の各テレビ受信機にアクセスしてＥＰＧ情報記憶部（１９）からＥＰＧ情報を読み出そうとする（ステップ９０５）。この時、各テレビ受信機は、夫々のパーミッション設定により、アクセスが許可されたＩＰアドレスを有するテレビ受信機からのアクセスであるかどうかを判断する。
【００８４】
ここで、パーミッション設定においてアクセス許可が与えられていない場合は、アクセスが拒否されるため（ステップ９０６）、新規登録を行うかどうかのメッセージを表示する。ここで、ユーザが新規登録をしないことを決定する操作を行うと（例えば、画面上に新規登録のＹＥＳ／ＮＯの選択肢を表示し、ＮＯを選択する）（ステップ９２０）、自機のＥＰＧ情報記憶部（１９）に記憶されている情報のみに基づいてＥＰＧを表示する（ステップ９１０）
一方、新規登録することを決定する操作を行うと（例えば、画面上に新規登録のＹＥＳ／ＮＯの選択肢を表示し、ＹＥＳを選択する）（ステップ９２０）、自機は新規登録申請を行ってＩＰアドレス管理装置（５０）への登録を行い（ステップ９２１）、ＩＰアドレス管理装置から、新しく登録されたＩＰアドレスを含む登録された全てのＩＰアドレスに対してアクセス許可を与えるパーミッション設定のためのファイルが送られてきて、テレビ受信端末のパーミッション設定が変更される（ステップ９２２）。或いは、パーミッション設定においてアクセス許可与えられている場合は（ステップ９０６）、ネットワークＩ／Ｆ部（１８）を介してネットワーク（２０）に接続されている各テレビ受信機のＥＰＧ情報記憶部（１９）を夫々チェックする。
【００８５】
各ＥＰＧ情報記憶部に記憶されているＥＰＧ情報を自機のＥＰＧ情報記憶部（１９）に記憶することで自機のＥＰＧ情報記憶部（１９）の記憶情報を更新していく（ステップ９０９）。この時、重複する情報がないかをチェックしながら行い、重複する情報（同じチャンネル、同じ時間帯等）があれば（ステップ９０７）、その情報に付随する日付（その情報を獲得した日時）を比較し、最も新しい情報を選択する（ステップ９０８）。このようにして、自機のＥＰＧ情報記憶部の情報が更新され（ステップ９０９）、ＥＰＧが表示部（１１）に表示される（ステップ９１０）。
【００８６】
テレビ受信機の電源がオフされるまで、上記ステップ９０３からステップ９２２までの動作が繰り返される。
【００８７】
テレビ受信機の電源がオフされると（ステップ９１１）、図９に記載の処理を含むあらゆる処理が停止されるが、ＥＰＧ情報記憶部（１９）とネットワークＩ／Ｆ部（１８）のみは動作させ、他のテレビ受信機からのアクセスを受け付けられるようにする
【図面の簡単な説明】
【００８８】
【図１】第一の実施例のブロック図
【図２】第一の実施例のフローチャート
【図３】第二の実施例の概要図
【図４】第二の実施例のフローチャート
【図５】第三の実施例の概要図
【図６】第三の実施例のテレビ受信機のフローチャート
【図７】第三の実施例のＩＰアドレス管理装置のフローチャート
【図８】第三の実施例のＩＰアドレス管理装置おける新規ＩＰアドレス登録のフローチャート
【図９】第４の実施例のフローチャート
【図１０】第４の実施例の新規ＩＰアドレス登録のフローチャート
【図１１】従来技術のブロック図
【符号の説明】
【００８９】
１            アンテナ
２             チューナ
３             デマルチプレクサ
４             ＡＶデコーダ
５             映像処理回路
６             音声処理回路
７             映像出力回路
８             音声出力回路
９             スピーカ
１０           テレビ受信機
１１           表示部
１２           システムコントローラ
１３           ＯＳＤ表示回路
１４           加算器
１５           メモリ
１６           リモコン受光部
１７           リモコン送信機
１８           ネットワークＩ／Ｆ部
１９           ＥＰＧ情報記憶部
２０           ネットワーク
５０           ＩＰアドレス管理装置
５１           管理ＣＰＵ
５２           ネットワークＩ／Ｆ部
５３           ＩＰアドレス記憶部
【図１】
2005175788.tif 000003
【図２】
2005175788.tif 000004
【図３】
2005175788.tif 000005
【図４】
2005175788.tif 000006
【図５】
2005175788.tif 000007
【図６】
2005175788.tif 000008
【図７】
2005175788.tif 000009
【図８】
2005175788.tif 000010
【図９】
2005175788.tif 000011
【図１０】
2005175788.tif 000012
【図１１】
2005175788.tif 000013